(57)【要約】【課題】便座軸が容易に脱落することのない便座取付構造を提供することを目的とする。【解決手段】便座と、便座取付具と、便座を便座取付具に対して回動自在に軸支する便座または便座取付具に着脱可能な便座軸と、便座軸の軸回転を規制する回転規制手段とを備え、便座には便座軸の軸線方向への摺動を規制する摺動規制手段を設ける。また、便座には、便座軸と便座または便座取付具との間に設けた便座軸の軸線方向への摺動を規制する摺動規制手段が有効となる第１の回動領域と、無効となる第２の回動領域とを備える。さらに、第１の回動領域は便座の全閉状態とする。【選択図】　図１
2004097518.tif 000002
【特許請求の範囲】
【請求項１】
便座と、便座取付具と、便座を便座取付具に対して回動自在に軸支する便座または便座取付具に着脱可能な便座軸と、便座軸の軸回転を規制する回転規制手段とを備え、便座には便座軸の軸線方向への摺動を規制する摺動規制手段を設けたことを特徴とする便座取付構造。
【請求項２】
便座には、便座軸と便座または便座取付具との間に設けた便座軸の軸線方向への摺動を規制する摺動規制手段が有効となる第１の回動領域と、無効となる第２の回動領域とを備えたことを特徴とする請求項１に記載の便座取付構造。
【請求項３】
第１の回動領域は便座の全閉状態であることを特徴とする請求項２に記載の便座取付構造。
【請求項４】
第１の回動領域は便座の全開状態であることを特徴とする請求項２又は請求項３に記載の便座取付構造。
【請求項５】
第２の回動領域は便座の非停止状態の一部であることを特徴とする請求項２に記載の便座取付構造。
【請求項６】
第２の回動領域は便座取付具を便器に固定した場合に便座と便器が干渉することを特徴とする請求項２に記載の便座取付構造。
【発明の詳細な説明】
【０００１】
【発明の属する技術分野】
本発明は、便座取付構造に関する。
【０００２】
【従来の技術】
従来の便座取付構造は、便器にボルト等により固定される便座取付具に着脱可能な便座軸を備えて便座を回動自在に軸支しており、便座軸を着脱可能にする構造として便座軸と便座取付具との間に弾性変形による係止構造や係止具を備えている（例えば、特許文献１参照。）
【０００３】
【特許文献１】
実公平６−２０４７７号公報（第２−４頁、第１図）
【０００４】
【発明が解決しようとする課題】
従来の便座取付構造は、便座の開閉や着座の繰り返しによる振動や経年変化で係止が緩んで便座軸が脱落するという課題を有していた。
また、単純に引き抜くだけで着脱が可能であるため、いたずらによって外されるという課題も有していた。
そこで、本発明では上記の問題点を解決するため、便座軸が容易に脱落することのない便座取付構造を提供するものである。
【０００５】
【課題を解決するための手段】
第１の発明では、　便座と、　便座取付具と、　便座を便座取付具に対して回動自在に軸支する便座または便座取付具に着脱可能な便座軸と、　便座軸の軸回転を規制する回転規制手段とを備え、　便座には便座軸の軸線方向への摺動を規制する摺動規制手段を設けたことを特徴とする便座取付構造を提供する。
【０００６】
これにより、便座軸が軸線方向に抜けないようにすることができる。
【０００７】
第２の発明では、便座には、便座軸と便座または便座取付具との間に設けた便座軸の軸線方向への摺動を規制する摺動規制手段が有効となる第１の回動領域と、　無効となる第２の回動領域とを備えたことを特徴とする請求項１に記載の便座取付構造を提供する。
【０００８】
本発明によれば、便座の回動位置により便座軸を軸線方向に抜けないようにすることと抜けるようにすることを選択することができる。
【０００９】
第３の発明では、第１の回動領域は便座の全閉状態であることを特徴とする請求項２に記載の便座取付構造を提供する。
【００１０】
本発明によれば、便座を閉じている場合は便座軸が軸線方向に抜けないようにすることができる。
【００１１】
第４の発明では、第１の回動領域は便座の全開状態であることを特徴とする請求項２又は請求項３に記載の便座取付構造を提供する。
【００１２】
本発明によれば、便座を全開している場合は便座軸が軸線方向に抜けないようにすることができる。
【００１３】
第５の発明では、第２の回動領域は便座の非停止状態の一部であることを特徴とする請求項２に記載の便座取付構造を提供する。
【００１４】
本発明によれば、便座が停止しない一部の回動位置で便座軸が軸線方向に抜けるようにすることができる。
【００１５】
第６の発明では、第２の回動領域は便座取付具を便器に固定した場合に便座と便器が干渉することを特徴とする請求項２に記載の便座取付構造を提供する。
【００１６】
本発明によれば、便座取付具を便器に固定した状態では便座軸が軸線方向に抜けないようにすることができる。
【００１７】
【発明の実施の形態】
以下に図面を参照して本発明をより具体的に説明する。
便座取付具１はボルト２等により便器４に固定されている。
ボルト２は便座取付具１に別体でも一体でも良い。
便座取付具１と便座３とに設けられた穴６に便座軸７が挿入され、便座３を便座取付具１及び便器４に対して回動自在となるように軸支している。
図１には示していないが、便蓋５にも穴６が設けられ、便座軸７により便座３と同様に回動自在に軸支している。
【００１８】
便座軸７には弾性変形する係止構造７−ａを備え、便座取付具１に係止されている。
便座軸７は便座取付具１と便座３とに設けられた穴６に対して軸線方向に摺動可能で、係止構造７−ａの弾性変形によって便座取付具１に係止することができ、これにより便座軸７は便座取付具１に着脱可能となっている。
便座軸頭部７−ｂは軸方向から見た形状が略Ｄ型であり、その平坦部７−ｃが便座取付具１に接して便座軸７の回転を防止することで回転規制手段としている。
なお、回転規制手段はこれに限定するものではなく、たとえば便座３まは便座取付具１の穴６と便座軸７をＤカット形状などにすることでも良い。
【００１９】
便座３には便座軸７の摺動を規制する摺動規制手段が設けられている。
摺動規制手段は、便座軸７の摺動軌跡上に突出して便座３に配置された突起８と、便座軸頭部７−ｂとで構成され、便座軸７の摺動時に干渉することで摺動を規制する。
また、便座軸頭部７−ｂには一部に凹部９を設け、便座３の回転位置によっては突起８と凹部９が重なって干渉せず、便座軸７の摺動を規制しなくなる。
【００２０】
実施例では便座３を閉じた状態から約４５度開いたところで突起８と凹部９が重なって摺動可能となり、その他の状態である便座３が閉じた状態や開放した状態では摺動を規制する。
便座３が約４５度開いたところでは、便座３が自然に留まることはなく、開閉動作の一通過点としてその留まっている時間は便座３が閉じた状態もしくは開放した状態に比べてごく短い時間である。
よって、意識的に４５度に便座３を保持しながら便座軸７を引き抜くことで着脱が可能で、それ以外では便座軸頭部７−ｂと便座３の突起８が干渉して便座軸７が抜けることがない。
【００２１】
更に、便座３の開閉動作時に凹部９と突起８が引っかかることのないように凹部９および突起８の勘合面１０には面取り１１などを付けて、便座３の回転時に便座軸７が抜ける方向への摺動を防止するとよい。
【００２２】
なお、本実施例では便座軸７を便座取付具１に着脱可能としたが便座３に着脱可能としてもよく、その場合は回転規制手段を便座３と便座軸７との間で構成し、摺動規制手段を便座取付具１と便座軸７との間で構成すれば良い。
【００２３】
【発明の効果】
第１の発明では、便座軸が軸線方向に抜けないので便座軸が容易に脱落することがない。
【００２４】
第２の発明では、便座の回動位置により便座軸を軸線方向に抜けないようにすることと抜けるようにすることを選択することができるので便座軸が容易に脱落することがなく、容易に着脱することも可能である。
【００２５】
第３の発明では、便座を閉じている場合は便座軸が軸線方向に抜けないので、着座の繰り返しによる振動や便座開閉時の便器と便座の接触による振動で便座軸が容易に脱落することがない。
【００２６】
第４の発明では、便座を全開している場合は便座軸が軸線方向に抜けないので、便座全開時の振動にて便座軸が容易に脱落することがない。
【００２７】
第５の発明では、便座が停止しない一部の回動位置で便座軸が軸線方向に抜けるので、便座軸の着脱が便座を意識的に停止した状態に限定できる。
【００２８】
第６の発明では、便座取付具を便器に固定した状態では便座軸が軸線方向に抜けないので、便座軸の着脱が便座取付具を便器から取り外した場合に限定できる。
【図面の簡単な説明】
【図１】本件発明の一実施の形態である摺動規制状態を示す。
【図２】本件発明の一実施の形態である着脱可能状態を示す。
【図３】本発明の一実施の形態である係止構造を示す。
【図４】本発明の一実施の形態である着脱構造の詳細を示す。
【図５】本発明の一実施の形態である便座開閉途中の状態を示す。
【図６】従来の便座取付状態の全体図を示す。
【図７】従来の取付状態を示す。
【符号の説明】
１　…便座取付具
２　…ボルト
３　…便座
４　…便器
５　…便蓋
６　…穴
７便座軸
７−ａ　…係止構造
７−ｂ　…便座軸頭部
７−ｃ　…平坦部
８　…突起
９　…凹部
１０　…勘合面
１１　…面取り
【図１】
2004097518.tif 000003
【図２】
2004097518.tif 000004
【図３】
2004097518.tif 000005
【図４】
2004097518.tif 000006
【図５】
2004097518.tif 000007
【図６】
2004097518.tif 000008
【図７】
2004097518.tif 000009